(57)【要約】【課題】ミスト発生方向を広角に制御することができず、また、衣類乾燥の際には衣類全体に気流が当たらないという課題があり、ミスト発生方向を広角に制御し、また、衣類全体に気流を当てることにより乾燥ムラを軽減し、より早く乾燥させることができるミスト発生機能付き衣類乾燥装置を提供することを目的とする。【解決手段】風向変更手段５の長フラップ９ａとミスト発生部１６の間に空間を形成することで長フラップ９ａの外側を流れる付着気流による誘引効果によりミスト発生方向を広角に制御して快適なミスト空間を作ることができ、また、風向変更手段５を反転させてワイド気流を発生させることにより衣類全体に気流を当てて乾燥ムラを無くし、より早く衣類を乾燥できるミスト発生機能付き衣類乾燥装置を提供することができる。【選択図】図１
2010088704.tif 000002
【特許請求の範囲】
【請求項１】
室内の天井面に設置された本体に、室内空間に向かって吹き出す吹出口と、前記吹出口に設けられた気流の風向を変更する風向変更手段と、前記風向変更手段に空気を供給する送風装置と、前記送風装置から前記風向変更手段に空気を案内する空気通路と、室内空間に向かってミストを噴霧するミスト発生部を備え、前記風向変更手段は、駆動手段に連結された回転軸と、前記回転軸に垂直に固定された２枚の側板と、前記側板を端面として筒状を形成するように前記側板に保持された２枚のフラップと、前記フラップに保持され前記回転軸に対して傾斜した複数のフィンを備え、前記フィンは前記側板に近い両端でそれぞれ逆方向に傾斜させた構成であって、前記駆動手段により前記フラップを回転させ、前記フラップと前記ミスト発生部の間に空間を形成することで前記フラップの外側に付着して流れる付着気流を生じさせるようにしたことを特徴とするミスト発生機能付き衣類乾燥装置。
【請求項２】
回転軸を中心に複数の時間間隔で往復運動ができる往復時間制御手段を備えた請求項１記載のミスト発生機能付き衣類乾燥装置。
【請求項３】
回転軸を中心に複数の往復角で往復運動ができる往復角度制御手段を備えた請求項１または請求項２いずれか１項に記載のミスト発生機能付き衣類乾燥装置。
【請求項４】
回転軸を中心に複数の往復角で往復運動する際に、手動により任意の位置で静止させることができる請求項１から３いずれか１項に記載のミスト発生機能付き衣類乾燥装置。
【請求項５】
ワイド気流の状態で回転軸を中心に往復運動をする動作と、スポット気流の状態で回転軸を中心に往復運動をする動作を交互に繰り返すことができる請求項１から４いずれか１項に記載のミスト発生機能付き衣類乾燥装置。
【請求項６】
回転方向の規制をする規制手段を備えた請求項１から５いずれか１項に記載のミスト発生機能付き衣類乾燥装置。
【請求項７】
規制手段に接触させてから位置決めを行う位置決め手段を備えた請求項１から６いずれか１項に記載のミスト発生機能付き衣類乾燥装置。
【請求項８】
フラップが吹出口を開閉する蓋となる請求項１から７いずれか１項に記載のミスト発生機能付き衣類乾燥装置。
【請求項９】
フラップはミスト発生部から水分を噴霧する前に開き、噴霧終了後に閉じるように制御する請求項１から８いずれか１項に記載のミスト発生機能付き衣類乾燥装置。
【請求項１０】
送風装置より供給する風量を可変させてミスト発生部から噴霧するミスト発生方向を制御する請求項１から９いずれか１項に記載のミスト発生機能付き衣類乾燥装置。
【請求項１１】
空気通路内に加熱手段を備え、風向変更手段より温風を吹き出しつつ、ミスト発生方向を制御する請求項１から１０いずれか１項に記載のミスト発生機能付き衣類乾燥装置。
【請求項１２】
風向変更手段の表面に抗菌または／および防カビ加工を施した請求項１から１１いずれか１項に記載のミスト発生機能付き衣類乾燥装置。
【請求項１３】
ミスト噴霧終了後に一定時間送風を行う請求項１から１２いずれか１項に記載のミスト発生機能付き衣類乾燥装置。
【請求項１４】
人体を検知する人体検知手段を備え、前記人体検知手段により検知した人体の方向にミストを噴霧させるように制御した請求項１から１３いずれか１項に記載のミスト発生機能付き衣類乾燥装置。
【請求項１５】
室内空間の温湿度を測定する温湿度センサを備え、あらかじめ設定された温湿度となるようにミスト噴霧量を可変させる請求項１から１４いずれか１項に記載のミスト発生機能付き衣類乾燥装置。
【発明の詳細な説明】
【技術分野】
【０００１】
本発明は、例えば浴室等において、その室内空間に対し加熱された湯水をミストにして噴霧することによりサウナ感を得るために用いられる浴室乾燥機に関するものである。
また、室内に衣類を吊り干しし、気流を当てて乾燥させる衣類乾燥装置に関するものである。
【背景技術】
【０００２】
この種のミスト発生装置として、浴室に設置されたミスト噴出装置に対し、水道管から給水される水を所定温度まで加熱した上でミスト用温水として供給して、浴室内に噴霧するものが知られている（例えば特許文献１参照）。
【０００３】
以下、そのミスト発生機能付き衣類乾燥装置の一例について図を参照しながら説明する。
【０００４】
図５に示すように本体１０１の内部に送風装置１０２と加熱器１０３が備えられ、吹出口１０４より温風が吹き出される構成となっており、吹出口１０４にはルーバー駆動モータ１０５により首振り可動する風向変更手段１０６が備えられ、吹出風の風向を変更することができる。また、本体１０１の下部にはミストを発生させるミスト発生装置１０７が備えられている。
【特許文献１】特開２００６ー３０４８７１号公報
【発明の開示】
【発明が解決しようとする課題】
【０００５】
このような従来のミスト発生機能付き衣類乾燥装置では、風向変更手段から送風される気流をミスト発生装置から噴霧されるミストと交差させて発生方向を変更できるが、気流とミストが交差しない場合はミスト発生方向を制御できないため、ミスト発生方向を広角に制御しにくいという課題がある。また、衣類乾燥時には風向変更手段により回転軸の回転方向のみの気流制御となり、限られた範囲の衣類にのみ気流が当たるために衣類の乾燥ムラが生じ、乾燥時間が長いという課題がある。
【０００６】
本発明は、このような従来の課題を解決するものであり、風向変更手段から送風される気流によってミスト発生方向を広角に制御することができ、また、衣類乾燥時には風向変更手段により衣類に対して効率良く気流を当てることで、乾燥ムラを軽減し、より早く乾燥させることができることができるミスト発生機能付き衣類乾燥装置を提供することを目的としている。
【課題を解決するための手段】
【０００７】
本発明のミスト発生機能付き衣類乾燥装置は、上記目標を達成するために、室内の天井面に設置された本体に、室内空間に向かって吹き出す吹出口と、吹出口に設けられた気流の風向を変更する風向変更手段と、風向変更手段に空気を供給する送風装置と、送風装置から風向変更手段に空気を案内する空気通路と、室内空間に向かってミストを噴霧するミスト発生部を備え、風向変更手段は、駆動手段に連結された回転軸と、回転軸に垂直に固定された２枚の側板と、側板を端面として筒状を形成するように側板に保持された２枚のフラップと、フラップに保持され回転軸に対して傾斜した複数のフィンを備え、フィンは側板に近い両端でそれぞれ逆方向に傾斜させた構成であって、駆動手段によりフラップを回転させ、フラップとミスト発生部の間に空間を形成することでフラップの外側に付着して流れる付着気流を生じさせるものである。
【０００８】
この手段により風向変更手段から送風される気流によってミスト発生方向を広角に制御することができ、また、衣類乾燥時には風向変更手段により衣類に対して効率良く気流を当てることで乾燥ムラを抑制し、より早く乾燥させることができるミスト発生機能付き衣類乾燥装置が得られる。
【０００９】
また他の手段は、回転軸を中心に複数の時間間隔で往復運動ができる往復時間制御手段を備えたものである。
【００１０】
また他の手段は、回転軸を中心に複数の往復角で往復運動ができる往復角度制御手段を備えたものである。
【００１１】
また他の手段は、回転軸を中心に複数の往復角で往復運動する際に、手動により任意の位置で静止させることができるものである。
【００１２】
また他の手段は、ワイド気流の状態で回転軸を中心に往復運動をする動作と、スポット気流の状態で回転軸を中心に往復運動をする動作を交互に繰り返すことができるものである。
【００１３】
また他の手段は、回転方向の規制をする規制手段を備えたものである。
【００１４】
また他の手段は、規制手段に接触させてから位置決めを行う位置決め手段を備えたものである。
【００１５】
また他の手段は、フラップが吹出口を開閉する蓋となるものである。
【００１６】
また他の手段は、フラップはミスト発生部から水分を噴霧する前に開き、噴霧終了後に閉じるように制御するものである。
【００１７】
また他の手段は、送風装置より供給する風量を可変させてミスト発生部から噴霧するミスト発生方向を制御するものである。
【００１８】
また他の手段は、空気通路内に加熱手段を備え、風向変更手段より温風を吹き出しつつ、ミスト発生方向を制御するものである。
【００１９】
また他の手段は、風向変更手段の表面に抗菌または／および防カビ加工を施したものである。
【００２０】
また他の手段は、ミスト噴霧終了後に一定時間送風を行うものである。
【００２１】
また他の手段は、人体を検知する人体検知手段を備え、人体検知手段により検知した人体の方向にミストを噴霧させるように制御したものである。
【００２２】
また他の手段は、室内空間の温湿度を測定する温湿度センサを備え、あらかじめ設定された温湿度となるようにミスト噴霧量を可変させるものである。
【発明の効果】
【００２３】
本発明によればミスト発生方向を広角に制御することにより、使用者に快適なミスト空間を提供することができる。また、衣類乾燥時は衣類に当てる気流を制御することにより乾燥ムラがなく、より早く乾燥させることができるという効果のあるミスト発生機能付き衣類乾燥装置を提供できる。
【００２４】
また、本体外観の外観を向上できるという効果のあるミスト発生機能付き衣類乾燥装置を提供できる。
【発明を実施するための最良の形態】
【００２５】
本発明の請求項１記載の発明は、室内の天井面に設置された本体に、室内空間に向かって吹き出す吹出口と、吹出口に設けられた気流の風向を変更する風向変更手段と、風向変更手段に空気を供給する送風装置と、送風装置から風向変更手段に空気を案内する空気通路と、室内空間に向かってミストを噴霧するミスト発生部を備え、風向変更手段は、駆動手段に連結された回転軸と、回転軸に垂直に固定された２枚の側板と、側板を端面として筒状を形成するように側板に保持された２枚のフラップと、フラップに保持され回転軸に対して傾斜した複数のフィンを備え、フィンは側板に近い両端でそれぞれ逆方向に傾斜させた構成であって、駆動手段によりフラップを回転させ、フラップとミスト発生部の間に空間を形成することでフラップの外側に付着して流れる付着気流を生じさせるようにしたものである。
【００２６】
これによりミストを発生させる際は、風向変更手段に備えられた駆動手段によりフラップを回転方向に動作させることにより回転方向に風向を変更し、風向変更手段から送風される気流及び付着気流とミストが交差する際はミストを気流に乗せてミスト発生方向を変化させ、風向変更手段から送風される気流とミストが交差しない際は、付着気流によってミストを誘引してミスト発生方向を変化させることで、より広角にミスト発生方向を制御でき、また、衣類乾燥時は風向変更手段を回転軸を中心に反転することでフィンの傾斜方向を変更でき、気流を集中するスポット気流と、気流を拡散させるワイド気流を生じさせることができるため、ワイド気流により室内に干された衣類に対してムラ無く気流を当てることができ、また、風向変更手段を反転させてスポット気流を発生させることにより乾きにくい衣類に集中して気流を当てることにより衣類の乾きムラを抑制し、より早く乾燥させることができるという作用を有する。
【００２７】
また、本発明の請求項２記載の発明は、回転軸を中心に複数の時間間隔で往復運動ができる往復時間制御手段を備えたものであり、ミスト発生時はミスト発生方向を広い範囲に噴霧することができ、また、衣類乾燥時は衣類全体に気流を送風することで衣類を早く乾燥させることができるという作用を有する。
【００２８】
また、本発明の請求項３記載の発明は、回転軸を中心に複数の往復角で往復運動ができる往復角度制御手段を備えたものであり、ミスト発生方向を細かく変更することで、使用者が快適な位置にミストを噴霧することができ、また、衣類乾燥時は衣類に気流を確実に当てる往復角に設定することでより早く衣類を乾燥させることができるという作用を有する。
【００２９】
また、本発明の請求項４記載の発明は、回転軸を中心に複数の往復角で往復運動する際に、手動により任意の位置で静止させることができるものであり、使用者の好みに応じて一定方向にミスト発生方向を固定でき、衣類乾燥時は設定した位置に干された衣類に集中して気流を当てることでより早く衣類を乾燥させることができるという作用を有する。
【００３０】
また、本発明の請求項５記載の発明は、ワイド気流の状態で回転軸を中心に往復運動をする動作と、スポット気流の状態で回転軸を中心に往復運動をする動作を交互に繰り返すことができるものであり、衣類乾燥時にワイド気流を送風する、又はスポット気流を送風して衣類に当てる気流を制御することでより早く衣類を乾燥させることができるという作用を有する。
【００３１】
また、本発明の請求項６記載の発明は、回転方向の規制をする規制手段を備えたものであり、不必要な動作を防ぐことができ、接触による破損も防ぐことができるという作用を有する。
【００３２】
また、本発明の請求項７記載の発明は、規制手段に接触させてから位置決めを行う位置決め手段を備えたものであり、風向変更手段の位置が動作ごとに基準を決めることができるという作用を有する。
【００３３】
また、本発明の請求項８記載の発明は、フラップが吹出口を開閉する蓋となるものであり、フラップが閉じた時には吹出口を閉じて、外観を損なわないことができ、フラップが開いた時には吹出口を有効に利用して送風することができるという作用を有する。
【００３４】
また、本発明の請求項９記載の発明は、フラップはミスト発生部から水分を噴霧する前に開き、噴霧終了後に閉じるように制御するものであり、ミスト発生部から噴霧される水滴を付着しにくくすることで、水滴による汚れを未然に防止するという作用を有する。
【００３５】
また、本発明の請求項１０記載の発明は、送風装置より供給する風量を可変させてミスト発生部から噴霧するミスト発生方向を制御するものであり、風量を可変させることにより風向変更手段から吹き出される気流の風速を変化させ、ミストの飛散距離を制御することができるという作用を有する。
【００３６】
また、本発明の請求項１１記載の発明は、空気通路内に加熱手段を備え、風向変更手段より温風を吹き出しつつ、ミスト発生方向を制御するものであり、温風とミストを同時に空間内に吹き出すことができ、また、衣類乾燥の際は温風を衣類に当てることで乾燥を促進させることができるという作用を有する。
【００３７】
また、本発明の請求項１２記載の発明は、風向変更手段の表面に抗菌または／および防カビ加工を施したものであり、風向変更手段に汚れが付着した場合に、カビの発生を抑制することができるという作用を有する。
【００３８】
また、本発明の請求項１３記載の発明は、ミスト噴霧終了後に一定時間送風を行うものであり、風向変更手段に水滴が付着した場合であっても、送風により水滴を除去することができるという作用を有する。
【００３９】
また、本発明の請求項１４記載の発明は、人体を検知する人体検知手段を備え、人体検知手段により検知した人体の方向にミストを噴霧させるように制御したものであり、ミストを人体に向かって正確に当てること、又は人体にミストを当てないように制御することができるという作用を有する。
【００４０】
また、本発明の請求項１５記載の発明は、室内空間の温湿度を測定する温湿度センサを備え、あらかじめ設定された温湿度となるようにミスト噴霧量を可変させるものであり、室内空間内の温湿度を一定に保つことができるという作用を有する。
【００４１】
以下、本発明の実施の形態について図面を参照しながら説明する。
【００４２】
（実施の形態１）
図１に本発明の実施の形態１のミスト発生機能付き衣類乾燥装置の構成を示す断面図、図２に風向変更手段の構成を示す斜視図、図３（ａ）、（ｂ）にミスト発生時の気流及びミストを示す断面図、図４に衣類乾燥時の風向変更手段の状態を示す断面図を示す。
【００４３】
図１に示すように天井に固定されたミスト発生機能付き衣類乾燥装置の本体１の内部に送風装置２としての例えばファンモータから送風される風を案内する空気通路３と、空気通路３によって案内された風を室内空間に向かって吹き出す吹出口４と、吹出口４に風向変更手段５が備えられている。
【００４４】
図２に示すように風向変更手段５は、駆動手段６としての例えばステッピングモータに連結された回転軸７に垂直に固定された２枚の側板８と、２枚の側板８に保持され、側板８を端面とした筒形状を成すように設置された２枚のフラップ９ａ、９ｂを備えており、本発明の実施の形態１では、例えば、側板８間の距離を吹出口４とほぼ合致する大きさとして４００ｍｍとし、２枚のフラップ９ａ、９ｂ間の距離を４０ｍｍとしている。
【００４５】
フラップ９ａ、９ｂの間に風が流れるため、フラップ９ａ、９ｂに沿って風の進行方向が決められ、フラップ９ａ、９ｂが回転軸７を中心に回転することで回転軸７を中心とした回転方向に風向を制御することができ、さらに、風向変更手段５が回転軸７を中心に、複数の時間間隔、及び複数の往復角で往復運動ができるように駆動手段６の回転速度及び回転角度を制御する制御手段１０としての例えばマイコンを搭載した制御基板を備えている。
【００４６】
ここで、風向変更手段５の回転方向の規制をする規制手段１１としてのストッパーを備え、制御手段１０は、風向変更手段５が回転動作を開始する前に必ず規制手段１１に風向変更手段５を接触させてから位置決めを行うような位置決め手段１２として接触位置を記憶する例えばメモリを備え、位置決めされた角度を基準として風向変更手段５を回転させることで常に同じ回転角度に制御することができる。
【００４７】
また、２枚のフラップ９ａ、９ｂの間にはフラップ９ａ、９ｂ間を流れる気流を軸方向に風向を変更するように回転軸７に対して傾斜し、断面形状を曲線（一例としてＲ１００）とした板状のフィン１３が複数備えられ、回転軸の両端に近いフィン１３ほど回転軸７に対して傾斜角度を大きくし、且つ両端のフィン１３は逆方向に傾斜させている。
【００４８】
上記フィン１３の配置により風向変更手段５には、フィン１３がハの字に広がりを持っている拡散開口側１４とその逆にフィン１３が除々に狭くなる集中開口側１５があり、拡散開口側１４から吹き出される気流はワイド気流となり、集中開口側１５から吹き出される気流はスポット気流となり、風向変更手段５を回転軸７を中心に反転させることによりワイド気流とスポット気流の切り替えを可能としている。
【００４９】
拡散開口側１４は、集中開口側１５よりも通風する部分の面積が大きく、拡散開口側１４と吹出口４はほぼ合致する大きさ（実施の形態１では４００ｍｍ）であり、集中開口側１５は本体１の空気通路３に合致する構成である。
【００５０】
図３（ａ）に示すように、２枚のフラップ９ａ、９ｂは、回転軸７からの距離が近く、幅が広い長フラップ９ａと、回転軸７からの距離が遠く、幅が狭い短フラップ９ｂとなっており、本発明の実施の形態１では、例えば、長フラップ９ａは回転軸からの距離を５ｍｍ、幅を４５ｍｍ、短フラップ９ｂは回転軸からの距離を３５ｍｍ、幅を１５ｍｍとしている。ここで、長フラップ９ａを短フラップ９ｂに対して回転軸７との距離を短くすることにより、空気通路３から吹出口４に送風される気流を長フラップ９ａの外側に流し、また、長フラップ９ａの幅を広くすることにより、外側を流れる気流を付着させるようにしている。
【００５１】
また、風向変更手段５の近傍には室内空間に向かって水分を微細にして霧状のミストとして噴霧できるミスト発生部１６を備えている。
【００５２】
ここで、長フラップ９ａがミスト発生部１６と近接する際、長フラップ９ａは回転軸７に近いためにミスト発生部１６との間に空間ができる。この空間内を流れる気流は長フラップ９ａに付着しながら流れる付着気流となり、回転軸７を中心に風向変更手段５を回転させることにより付着気流の風向を回転方向に変更できる。
【００５３】
これにより、ミスト発生動作時は、長フラップ９ａとミスト発生部１６の間の空間を流れる付着気流を発生させることにより回転軸７を中心とした回転方向の風向制御によりミスト発生部１６から噴霧させるミストと付着気流が交差しない場合は、ミスト発生部１６の近傍を流れる付着気流によってミストを誘引することによりミスト発生方向を変更することができ、図３（ｂ）に示すように、ミストと付着気流が交差する場合はミストを気流に乗せて気流の流れ方向に向かってミスト発生方向を変更することでミスト発生方向を広角に制御することが可能となる。
【００５４】
後述するが、図４に示すように短フラップ９ｂとミスト発生部１６が近接する際にできる空間より長フラップ９ａとミスト発生部１６が近接する際にできる空間の方が大きいため、付着気流が流れやすく、ミストの誘引効果を高めている。
【００５５】
また、風向変更手段５は長フラップ９ａがミスト発生部１６と近接する際、集中開口側１５が室内空間側となってスポット気流を発生させるようにしている。
【００５６】
ミスト発生時にスポット気流とするのは、ワイド気流は気流を拡散させるため風速が遅くなるのに対してスポット気流は気流を集中させるために風速が早められ、風速の早いスポット気流が付着気流に隣接して流れして付着気流の風速を減衰させないようにするためであり、付着気流の風速を高めることによりミストの誘引効果をより高めることができる。
【００５７】
また、長フラップ９ａの一部に短フラップ９ｂに向かって屈曲部１７を設けることで付着気流を屈曲部１７に沿って流れるようにすると、ミストと付着気流が交差しない場合にミスト発生方向と付着気流の風向の角度が相対的に大きくなるため、ミストの誘引効果を大きくでき、ミスト発生方向の制御性を高めることができる。
【００５８】
さらには送風装置２から供給する風量を可変させることにより、風向変更手段５から生じる風速を可変することにより、ミストを含んだ気流の到達距離を変更することができる。
【００５９】
また、図４に示すように、短フラップ９ｂとミスト発生部１６が近接する際、風向変更手段５は拡散開口側１４が室内空間側となってワイド気流を発生させるため、例えば本体１の下に設置された竿に干された衣類に対し、ムラなく気流を当てることができる。
【００６０】
その際、短フラップ９ｂとミスト発生部１６の間には空間が小さく、付着気流は発生しにくいがミストを発生しないため、付着気流が発生しなくても特に問題がない。
【００６１】
また、空気通路３内に加熱手段１８を備え、送風装置２から送風される風を暖めることにより風向変更手段５から温風を吹き出すことができる。ここで、加熱手段１８としては特に限定しないが、カーボンヒータ、セラミックヒータ、ニクロムヒータ、ハロゲンヒータなど一般的に用いられる各種ヒータや、熱交換器を用いて外部から温度を供給するなどの手段を用いることができる。
【００６２】
本体１には室内空間に存在する人体を検知する人体検知手段１９としての例えば赤外線センサを備え、人体検知手段１９により検知した人体の位置情報を検知信号として制御手段１０に送信し、制御手段１０により風向変更手段５の風向を人体の方向に向かって気流を制御することができる。
【００６３】
また、室内空間の温湿度を検知する温湿度センサ２０としての例えばサーミスタ及びセラミック湿度センサを備え、室内空間の温湿度をモニタリングして送風装置２から送風される風量を増減させることや、ミスト発生部１６から噴霧されるミストの水量を変化させるように制御することができる。
【００６４】
次に本発明の動作について説明する。
【００６５】
ミスト発生機能付き衣類乾燥装置の本体１には、室内空間にミストを噴霧するミスト発生動作と、室内空間に干された衣類に気流を当てて乾燥させる衣類乾燥動作を行うことができ以下に各々の動作について説明する。
【００６６】
ミスト発生動作を行う場合、図３（ａ）、（ｂ）に示すように、制御手段１０により風向変更手段５が回転軸７を中心に複数の時間間隔、及び複数の往復角で往復運動することにより室内空間に広くミストを噴霧することで室内空間のミストを均一にして使用者に快適なミスト空間を提供することができる。
【００６７】
使用者がミストを浴び続けたい場合、またはミストを直接浴びたくない場合は、手動により駆動手段６の回転を停止させてミスト発生方向を一方向に固定させることで、ミスト発生方向を制御し、より快適なミスト空間を提供することができる。
【００６８】
さらにミスト発生方向を室内空間に存在する人体を検知して制御してもよく、人体検知手段１９により風向変更手段５を回転させ、室内空間に存在する人体に向かってミストを噴霧させる、又は人体にミストを当てない様にミスト発生方向を制御することで同様の効果がある。
【００６９】
また、一例としてミスト発生機能付き衣類乾燥装置の本体１を浴室に設置した場合に加熱手段１８により温風を発生させてミストと温風を同時に室内空間へ送ることでサウナ空間を作り出すことができる。
【００７０】
この場合、温湿度センサ２０によって浴室内の温湿度をモニタリングし、あらかじめ設定した温湿度（例えば温度を４０℃、湿度９０％）にすることにより、ミスト噴霧量や加熱手段１８による加熱量を可変させて設定した温湿度となるようにすることで快適なサウナ空間を提供することができる。
【００７１】
次に、衣類乾燥動作について説明する。
【００７２】
図４に示すように、衣類乾燥時は風向変更手段５からワイド気流を発生させるようにし、室内空間に干された衣類全体に気流を当てることにより衣類の量が多く、広範囲に衣類を干した場合に乾燥ムラがなく、効率よく衣類を乾燥することができる。
【００７３】
さらに、制御手段１０により風向変更手段５が回転軸７を中心に複数の時間間隔、及び複数の往復角で往復運動することにより、例えば室内空間に竿が２列に配置されている場合、それぞれの竿に干された衣類に対して交互に気流を当てることができるため、衣類全体にムラなく気流を当てることができ、より早く衣類を乾燥することができる。
【００７４】
衣類の量が少ない場合や特定の衣類だけを集中的に乾かしたい場合は、手動により任意の位置で往復角を静止させ、特定の衣類にのみ集中して気流を当てることで、例えば厚手の衣類を乾かす場合に気流を集中的に当てて乾かすこともできるため、より早く衣類を乾燥させることができ、さらには衣類に当たらない方向に気流を送らないため、効率良く乾燥させることで機器の運転時間を短縮し、省エネ効果がある。
【００７５】
衣類量が多く、且つ乾きにくい厚手の衣類を中央寄りに干し、乾きやすい薄手の衣類を外側寄りに干す場合、ワイド気流の状態で回転軸７を中心に往復運動をする動作と、スポット気流の状態で回転軸７を中心に往復運動をする動作を交互に繰り返すことで、ワイド気流により外側寄りの薄手の衣類を乾かす動作とスポット気流で中央寄りの厚手の衣類を集中的に乾かす動作を繰り返すことにより厚手と薄手の衣類の乾燥ムラを無くし、同様の効果がある。
【００７６】
さらに、加熱手段１８により温風を発生させて衣類に当てることで、温度が高く、乾燥した空気により衣類に含まれる水分の蒸発を促進させ、より早く衣類を乾燥させることができる。
【００７７】
以下よりミスト発生機能付き衣類乾燥装置の本体１の外観について説明する。
【００７８】
図１に示すように本体１の動作停止時は、風向変更手段５を回転させ、幅の広い長フラップ９ａを室内側に面するようにすることで吹出口４の蓋となり、吹出口４を外部から見えないようにすることで外観を損なわず、美観を向上させることができる。
【００７９】
その際、図２に示すように、風向変更手段５を本体１の中に格納する場合は、長フラップ９ａが吹出口４を開閉する蓋となるため、必ず規制手段１１に風向変更手段５を接触させてから位置決め手段１２により位置決めを行うことにより、長フラップ９ａの位置が本体１の外装にしっかりと決められる。
【００８０】
また、風向変更手段５の表面に抗菌または／および防カビ加工を施すことで、細菌やカビの繁殖を防ぐことができ、清潔に保つことができる。また、空気中の細菌やカビを抑制できるため、清潔な風を衣類に供給できる。抗菌材料としては特に限定しないが、例えば抗菌剤として、銀・銅・亜鉛などの金属イオンを溶出する無機化合物、銀・銅・亜鉛の金属微粒子、銀ゼオライト、銀含有リン酸ジルコニウム、ヨウ素化合物類、フェノール類、第４級アンモニウム塩類、イミダゾール化合物類、安息香酸類、過酸化水素、クレゾール、クロルヘキシジン、イルガサン、アルデヒド類、ソルビン酸等の薬剤やリゾチーム・セルラーゼ・プロテアーゼなどの酵素製剤、カテキン類、竹抽出物、ヒノキ抽出物、わさび抽出物、からし抽出物などの天然成分抽出物などが挙げられる。
【００８１】
また、防カビ剤の一例としては、有機窒素化合物、硫黄系化合物、有機酸エステル類、有機ヨウ素系イミダゾール化合物、ベンザゾール化合物などが挙げられる。
【００８２】
また、長フラップ９ａはミスト噴霧前に開き、ミスト噴霧終了後に閉じるように制御することで、ミストによる水滴が風向変更手段５に付着することを防止することができ、水滴付着による汚れの発生を抑制することができる。
【００８３】
さらに、風向変更手段５に付着した水滴を除去するためにミスト噴霧終了後に一定時間（一例として約１０分間）風向変更手段５から送風を行うことにより風向変更手段５に付着した水滴を乾燥させることもでき、水滴付着による汚れの発生を抑制することで同様の効果が得られる。
【産業上の利用可能性】
【００８４】
浴室の天井に設置されるミスト発生機能付き衣類乾燥装置に利用できる。また、ミストの気化熱により空気温度を低減する空気調和機にも適用できる。
【図面の簡単な説明】
【００８５】
【図１】本発明の実施の形態１のミスト発生機能付き衣類乾燥装置の構成を示す断面図
【図２】同風向変更手段の構成を示す斜視図
【図３】（ａ）同ミスト発生時の気流がミストと交差する状態を示す断面図（ｂ）同ミスト発生時の気流がミストと交差しない状態を示す断面図
【図４】同衣類乾燥時の風向変更手段の状態を示す断面図
【図５】従来の風向変更手段の構成を示す斜視図
【符号の説明】
【００８６】
１    本体
２    送風装置
３    空気通路
４    吹出口
５    風向変更手段
６    駆動手段
７    回転軸
８    側板
９    フラップ
１０  制御手段
１１  規制手段
１２  位置決め手段
１３  フィン
１６  ミスト発生部
１８  加熱手段
１９  人体検知手段
２０  温湿度センサ
【図１】
2010088704.tif 000003
【図２】
2010088704.tif 000004
【図３】
2010088704.tif 000005
【図４】
2010088704.tif 000006
【図５】
2010088704.tif 000007